(57)【要約】【課題】ドラムの前部に位置した洗濯物を後側に変位させる効果に優れ、ドラム及び水槽の振動を充分に小さくすることのできるドラム式洗濯機を提供する。【解決手段】ドラム１１の内周部に設けるバッフル１３の前側１３ａを、後側１３ｂよりドラム１１の回転中心Ｏに対する角度を大きくして設けた（θａ＞θｂ）。これにより、ドラム１１の前部に位置した洗濯物Ｗを後側により確実に変位させることができる。かくして、モータに後部を連結されて該後部でいわば片持ちされたドラム１１の反モータ側のアンバランス負荷を充分に小さくできて、ドラム１１及びそれを収容して前面の開口部をベローズで外箱の洗濯物出入口に軟的に連結された水槽の振動を充分に小さくできるようになる。【選択図】図１
2010207450.tif 000002
【特許請求の範囲】
【請求項１】
前面に洗濯物出入口を有する外箱と、
この外箱の内部に軸方向が前後となる状態に弾性支持して配設され、前面が開口した水槽と、
この水槽の前面の開口部と前記外箱の洗濯物出入口とを連結したベローズと、
前記水槽の後部に取付けた駆動装置と、
前記水槽の内部に軸方向が前後となる状態に配設され、後部を前記駆動装置に連結して該駆動装置により駆動されるドラムと、
このドラムの内周部に軸方向に延ばして設けられたバッフルとを具備し、
洗濯物の洗濯と脱水とを行うものにおいて、
前記バッフルの前側を、後側より前記ドラムの回転中心に対する角度を大きくして設けたことを特徴とするドラム式洗濯機。
【請求項２】
バッフルの後側を、ドラムの回転中心と平行にしたことを特徴とする請求項１記載のドラム式洗濯機。
【請求項３】
バッフルの前側の側面部の傾斜角を、後側の側面部の傾斜角より小さくしたことを特徴とする請求項１又は２記載のドラム式洗濯機。
【請求項４】
バッフルの前側の高さを、後側の高さより大きくしたことを特徴とする請求項１ないし３のいずれかに記載のドラム式洗濯機。
【請求項５】
洗濯物の脱水を行う直前に、バッフルの前側の角度を大きくした方向のドラムの回転量を、それとは反対の方向のドラムの回転量より多くする制御内容のほぐし行程を実行することを特徴とする請求項１ないし４のいずれかに記載のドラム式洗濯機。
【請求項６】
洗濯物の洗濯を行う際に、バッフルの前側の角度を大きくした方向のドラムの回転量を、それとは反対の方向のドラムの回転量より多くする制御を実行することを特徴とする請求項１ないし５のいずれかに記載のドラム式洗濯機。
【発明の詳細な説明】
【技術分野】
【０００１】
本発明は、バッフルを改良したドラム式洗濯機に関する。
【背景技術】
【０００２】
従来より、ドラム式洗濯機においては、前面に洗濯物出入口を有する外箱の内部に、水槽が軸方向を前後とする状態に弾性支持して配設され、この水槽の前面の開口部と外箱の前記洗濯物出入口とがベローズで連結されている。又、水槽の後部にはモータが取付けられており、水槽の内部にドラムが軸方向を前後とする状態に配設され、その後部が上記モータに連結されて、該モータによりドラムが駆動されるようになっている。そして、ドラムの内周部には、洗濯物掻き上げ用の複数個のバッフルがそれぞれ軸方向に延ばして設けられており、かかる構成で、洗濯物の洗濯と脱水とが行われるようになっている。
【０００３】
詳細には、洗濯物の洗濯（洗い、すすぎ）は、水槽からドラムの内部に所定量の水を供給し、その後に、ドラムをモータにより低速で正逆両方向に交互に回転させることで行われ、脱水は、ドラム及び水槽の内部から排水をし、その後に、ドラムを一方向（正方向）に高速回転させることで行われるようになっている。
【０００４】
このように洗濯物の洗濯と脱水とが行われるとき、ドラムに収容された洗濯物は、洗濯時には、ドラムの回転方向のみに移動してバッフルにより下から上へ、そして上から下へと変位されるものであり、脱水時には、ドラムの回転が高速になるまで洗濯時と同様に変位され、高速になってからはドラムの内周面に張り付く。
【０００５】
しかして、脱水時、ドラムの内部における洗濯物の分布に片寄り（アンバランス）があると、ドラムが振動し、それと共に水槽が振動する。特に、ドラムの前部にバスタオルやＧパン等の重い洗濯物がドラムの周方向の一部に片寄って位置すると、前記モータに後部を連結されて該後部でいわば片持ちされたドラムの反モータ側のアンバランス負荷が大きくなってモーメントが大きくなることと、水槽が前面の開口部をベローズで外箱の洗濯物出入口に軟的に連結されていることとで、ドラム及び水槽の振動が大きくなり、最悪の場合には水槽が外箱に衝突するほどになる。又、この場合、一般にはドラム及び水槽の振動を検知し、その大きな振動が検知されると、運転が一時中断されて、給水し、更にドラムを低速回転させてアンバランスを修正する修正行程が実行されるようになっているから、それによる運転時間の延長や、更には、それでもなお発生するドラム及び水槽の振動により運転が中止されてエラー報知されるというようなこともあった。
【０００６】
これに対して、前記バッフルをドラムの回転中心に対して傾斜状に設けたものがある（例えば特許文献１参照）。
【先行技術文献】
【特許文献】
【０００７】
【特許文献１】実公平８−１７４８号公報
【発明の概要】
【発明が解決しようとする課題】
【０００８】
上述の、バッフルをドラムの回転中心に対して傾斜状に設けたものでは、脱水時、ドラムをバッフルの前側の傾斜方向に回転させることにより、ドラムの前部に位置した洗濯物を後側に変位させることが可能である。
しかしながら、上述のもののバッフルは直線状に傾斜させたものであり、ドラムの前部に位置した洗濯物を後側に変位させる効果に乏しく、従って、ドラム及び水槽の振動を充分に小さくすることができないものであった。
【０００９】
本発明は上述の事情に鑑みてなされたものであり、従ってその目的は、ドラムの前部に位置した洗濯物を後側に変位させる効果に優れ、ドラム及び水槽の振動を充分に小さくすることのできるドラム式洗濯機を提供するにある。
【課題を解決するための手段】
【００１０】
上記目的を達成するために、本発明のドラム式洗濯機においては、前面に洗濯物出入口を有する外箱と、この外箱の内部に軸方向が前後となる状態に弾性支持して配設され、前面が開口した水槽と、この水槽の前面の開口部と前記外箱の洗濯物出入口とを連結したベローズと、前記水槽の後部に取付けた駆動装置と、前記水槽の内部に軸方向が前後となる状態に配設され、後部を前記駆動装置に連結して該駆動装置により駆動されるドラムと、
このドラムの内周部に軸方向に延ばして設けられたバッフルとを具備し、洗濯物の洗濯と脱水とを行うものにおいて、前記バッフルの前側を、後側より前記ドラムの回転中心に対する角度を大きくして設けたことを特徴とする（請求項１の発明）。
【発明の効果】
【００１１】
上記手段によれば、バッフルの前側を、後側よりドラムの回転中心に対する角度を大きくして設けたことで、ドラムの前部に位置した洗濯物を後側に変位させる効果に優れるようにできる。よって、それにより、ドラム及び水槽の振動を充分に小さくすることができる。
【００１２】
又、この場合、バッフルの後側は前側よりドラムの回転中心に対する角度が小さくなるので、ドラムの前部に位置した洗濯物が後側に変位されるに伴って生じる洗濯物の捩れによる絡みを後側では少なくでき、その絡みによるアンバランス負荷の発生を少なくして、ドラム及び水槽の振動を更に小さくすることができる。
【００１３】
加えて、ほぐし行程や、洗濯行程、及びすすぎ行程では、ドラムが低速で正逆両方向に交互に回転されることにより、その各正方向の回転でバッフルにより後側に変位された洗濯物が、各逆方向の回転でバッフルにより前側に変位され、要するに前後に変位されて混ざり合うようになるので、ほぐし行程では、ほぐし効果に優れ、アンバランスの低減に効果を奏する。又、洗濯行程及びすすぎ行程では、洗浄性能の向上に効果を奏する。
【図面の簡単な説明】
【００１４】
【図１】本発明の第１実施例を示す主要部分の展開平面図
【図２】ドラム式洗濯機全体の破断斜視図
【図３】ドラム式洗濯機全体の縦断側面図
【図４】運転の制御内容を示すフローチャート
【図５】主要部分の作用を表した正面図
【図６】本発明の第２実施例を示す図１相当図
【図７】本発明の第３実施例を示す図１相当図
【図８】図７のVIII−VIII線に沿う断面図
【図９】図７のIX−IX線に沿う断面図
【図１０】本発明の第４実施例を示す図１相当図
【図１１】図１０のXI−XI線に沿う断面図
【図１２】図１０のXII−XII線に沿う断面図
【図１３】本発明の第５実施例を示す図４相当図
【図１４】ほぐし行程におけるドラムの回転時間の長さを表したタイムチャート
【図１５】本発明の第６実施例を示す図４相当図
【図１６】洗い行程及びすすぎ行程におけるドラムの回転時間の長さを表したタイムチャート
【発明を実施するための形態】
【００１５】
以下、本発明の第１実施例（第１の実施形態）につき、図１ないし図５を参照して説明する。
まず、図２及び図３には、ドラム式洗濯機の全体構造を示しており、外箱１を外殻としている。この外箱１は、詳細には、合成樹脂製の基台１ａと、これに被着結合した箱本体１ｂとから成るもので、そのうちの箱本体１ｂの前面部（図３で左側）のほゞ中央部に、洗濯物出入口２を形成し、該出入口２を開閉する扉３を設けている。又、箱本体１ｂの前面部の上部には、操作パネル４を設けており、その裏側（外箱１内）に制御装置５を設けている。
【００１６】
外箱１の内部には水槽６を配設している。この水槽６は、軸方向が前後（図３で左右）となり、加えて前上がり傾斜となる状態に、左右一対（一方のみ図示）のサスペンション７によって弾性支持している。
水槽６の後部には、モータ８を取付けている。このモータ８は、この場合、例えば直流のブラシレスモータから成るもので、アウターロータ形であり、ステータ８ａを水槽６の背部に取付け、ロータ８ｂの中心部に結合した回転軸８ｃを、軸受ブラケット９に内装した軸受１０を介して水槽６の内部に挿通している。
【００１７】
水槽６の内部にはドラム１１を配設している。このドラム１１は、後部の中心部を上記モータ８の回転軸８ｃの先端部に連結することにより、水槽６と同軸状にて、軸方向が前後となり、加えて前上がり傾斜となる状態に支持している。又、その結果、ドラム１１はモータ８により直に回転されるようになっており、従って、モータ８は、ドラム１１を回転させる駆動装置として機能するようになっている。
ドラム１１の周側部（胴部）には、小孔１２を全域にわたって多数（図３には一部のみ図示）形成すると共に、洗濯物掻き上げ用のバッフル１３を複数（例えば３個）設けている。このバッフル１３は後に詳述する。
【００１８】
ドラム１１及び水槽６は、ともに前面が開口しており、そのうちのドラム１１の開口部１４の周囲部内側には、例えば液体封入形の回転バランサ１６を設け、水槽６の開口部１５を、環状の弾性材例えばゴムから成るベローズ１７により前記洗濯物出入口２に連結している。この結果、洗濯物出入口２は、ベローズ１７、水槽６の開口部１５、及びドラム１１の開口部１４を介して、ドラム１１の内部に連なっている。
【００１９】
水槽６の底部中の最低部、この場合、最後部には、排水口１８を形成しており、この排水口１８に機内排水ホース１９の基端部を接続し、機内排水ホース１９の先端部を、前記外箱１の基台１ａの前部に配設したフィルタケース２０の機内排水ホース接続口２１に接続している。
【００２０】
フィルタケース２０は、上記機内排水ホース接続口２１を上部に有しており、前端部にキャップ２２を装着していて、このキャップ２２と一体のリントフィルタ（図示せず）を内部に収納している。又、フィルタケース２０の後側の下部側方には排水弁２４を接続しており、この排水弁２４の出口部に排水パイプ２５を接続している。排水パイプ２５の先端部は、外箱１の基台１ａから機外に臨み、図示しない機外排水ホースを接続するようになっている。
【００２１】
一方、フィルタケース２０の後端部には循環ポンプ２６を設けている。この循環ポンプ２６は、フィルタケース２０、機内排水ホース１９、及び排水口１８を介して水槽６内の水を吸引するもので、周側部（図で上部）に吐出口２７を有しており、この吐出口２７に送水ホース２８の基端部を接続している。送水ホース２８は、中間部を前記ベローズ１７の周側方から上方へと配管しており、先端部を、水槽６の前記開口部１５の上部に設けた噴水ノズル２９に接続して、前記ドラム１１の内部に臨ませている。
【００２２】
この結果、循環ポンプ２６は、前記排水口１８から機内排水ホース１９−フィルタケース２０（リントフィルタ）−循環ポンプ２６の経路で吸入した水槽６内の水を、送水ホース２８を通じて圧送し、噴水ノズル２９からドラム１１の内部にシャワー状に供給するもので、シャワー給水装置３０を構成している。
【００２３】
更に、フィルタケース２０の前部の上部には、エアトラップ３１を連設しており、このエアトラップ３１と、外箱１内の最上部に配設した水位センサ３２との間を、エアチューブ３３により接続している。従って、水位センサ３２は、水槽６内の水位を、機内排水ホース１９、フィルタケース２０、エアトラップ３１、及びエアチューブ３３を介して検知するようになっており、水位検知手段として機能するようになっている。
【００２４】
このほか、外箱１内の最上部には、給水弁３４と、給水ケース３５を配設している。このうち、給水弁３４は、入口部に図示しない水道の蛇口に接続した機外給水ホース（これも図示せず）を接続するようになっており、出口部を接続パイプ３６を介して給水ケース３５に接続している。給水ケース３５は、内部に洗剤貯留部（これも図示せず）を有しており、その内部を機内給水ホース３７を介して水槽６内にその上部から連通させている。従って、給水弁３４は、給水ケース３５を介して水槽６内に通じるものであり、これらの給水弁３４と給水ケース３５とにより水槽６内に給水する通常の給水装置３８を構成している。
【００２５】
さて、ここで図１は、前記バッフル１３を一つで代表して詳細に示しており、この図１で明らかなように、バッフル１３は、ドラム１１の内周部に主として軸方向に延ばして設けており、且つ、その前側１３ａを、後側１３ｂよりドラム１１の回転中心Ｏに対する角度を大きくして設けている（θa＞θｂ）。又、このバッフル１３は、後に図８、図９で明らかとなるように、両側面部１３ｃ，１３ｄが中央稜部１３ｅに向かってせり上がる山脈形を成している。
更に、このバッフル１３の形状に合わせて、前記小孔１２は、バッフル１３で塞がれることのないように、該バッフル１３と平行な並びで設けている。
【００２６】
次に、上記構成のものの作用を述べる。
図４は制御装置５の運転制御内容を示しており、これは、操作パネル４に対する使用者の操作に基づくもので、使用者が運転を開始させる操作をすると、制御装置５が運転を開始させて、最初に洗濯物重量の検知をする（ステップＳ１）。洗濯物重量の検知は、ドラム１１を所定の回転速度まで回転させ、それに要した時間と、その後、モータ８によるドラム１１の駆動を停止させてドラム１１を惰性回転させ、それによってドラム１１の回転速度が所定の回転速度まで下降するのに要した時間とから、洗濯物の重量をモータ８の回転負荷でもって検知するものである。
【００２７】
この後、上記洗濯物重量の検知結果から、洗濯物重量の判定と、それに応じた、洗い行程及びすすぎ行程における水位の決定をし、その後、洗い行程用に決定した水位（洗濯物が浸される水位）までの水道水の供給をする（ステップＳ３）。この水道水の供給は、通常の給水装置３８により行うもので、このとき、給水ケース３５の洗剤貯留部にあらかじめ貯留した洗剤の投入が給水と併せて行われる。
【００２８】
次いで、洗い行程を実行する（ステップＳ４）。この洗い行程は、ドラム１１を約５０〔ｒｐｍ〕の低速で正逆両方向に交互に回転させることにより行うもので、それにより、ドラム１１内にあらかじめ収容された洗濯物がバッフル１３により上げられてから落とされること（タンブリング）を繰り返し、洗浄される。
この後、排水を行う（ステップＳ５）。この排水は、排水弁２４を開放させることにより、水槽６内（ドラム１１内）の水を、水槽６の排水口１８から機内排水ホース１９−フィルタケース２０（リントフィルタ）−排水弁２４−排水パイプ２５−機外排水ホースを通じて排出する内容で行われる。
【００２９】
そして、その後に、脱水行程前のほぐし行程を実行する（ステップＳ６）。このほぐし行程は、ドラム１１を前記洗い行程同様の約５０〔ｒｐｍ〕の低速で正逆両方向に交互に例えば２周期回転させることにより行うもので、それにより、ドラム１１内にあらかじめ収容された洗濯物がバッフル１３により上げられてから落とされることをドラム１１回転の正逆両方向で繰り返し、ほぐされる。
【００３０】
この後、脱水行程を実行する（ステップＳ７）。この脱水行程は、上記排水弁２４を開放させたまま、ドラム１１を、図１に矢印Ａで示すように、バッフル１３の前側１３ａが傾斜した一方向（正方向）に最高で約１３００〔ｒｐｍ〕の高速回転をさせることで、ドラム１１内の洗濯物の遠心脱水をするものであり、このときにアンバランスの検知もする。
次いで、すすぎ行程用に決定した水位までの水道水の供給をする（ステップＳ８）。この水道水の供給は、前記ステップＳ３と同様に行うが、このとき、給水ケース３５の洗剤貯留部には洗剤はなく、従って、水道水のみが水槽６内に供給される。
【００３１】
この後、すすぎ行程を実行する（ステップＳ９）。このすすぎ行程は、前記洗い行程と同様に行われる。
その後、前記ステップＳ５〜Ｓ９同様の排水、ほぐし行程、脱水行程、給水、すすぎ行程の各動作を実行し（ステップＳ１０〜Ｓ１４）、更に、ステップＳ１０〜Ｓ１２同様の排水、ほぐし行程、脱水行程の各動作を実行して（ステップＳ１５〜Ｓ１７）、運転を終了する。
【００３２】
図１及び図５は、上述のように運転が行われる中の、脱水行程における洗濯物の様子を示しており、ドラム１１の前部に位置した洗濯物Ｗを、ドラム１１の矢印Ａで示した方向の回転により、バッフル１３の前側１３ａで後側に変位させるが、このとき、バッフル１３の前側１３ａを、後側１３ｂよりドラム１１の回転中心Ｏに対する角度を大きくして設けていることで、ドラム１１の前部に位置した洗濯物Ｗを後側に変位させる効果に優れる。すなわち、ドラム１１の前部に位置した洗濯物Ｗを後側により確実に変位させることができる。かくして、モータ８に後部を連結されて該後部でいわば片持ちされたドラム１１の反モータ８側のアンバランス負荷を充分に小さくでき、ドラム１１及び水槽６の振動を充分に小さくすることができる。
【００３３】
又、この場合、バッフル１３の後側１３ｂは前側１３ａよりドラム１１の回転中心Ｏに対する角度が小さくなっているので、特に少容量時、ドラム１１の前部に位置した洗濯物Ｗが後側に変位されるに伴って生じる洗濯物Ｗの捩れによる絡みを後側１３ｂでは少なくでき、その絡みによるアンバランス負荷の発生を少なくできて、ドラム１１及び水槽６の振動を更に小さくすることができる。
【００３４】
加えて、ほぐし行程と、洗濯行程、及びすすぎ行程では、ドラム１１が低速で正逆両方向に交互に回転されることにより、その各正方向の回転でバッフル１３により後側に変位された洗濯物Ｗが、各逆方向の回転でバッフル１３により前側に変位され、要するに前後に変位されて混ざり合うようになるので、ほぐし行程では、ほぐし効果に優れ、アンバランスの低減に効果を奏する。又、洗濯行程及びすすぎ行程では、洗浄性能の向上に効果を奏する。
【００３５】
以上に対して、図６ないし図１６は本発明の第２ないし第６実施例（第２ないし第６の実施形態）を示すもので、それぞれ、第１実施例と同一の部分には同一の符号を付して説明を省略し、異なる部分についてのみ述べる。
【００３６】
［第２実施例］
図６に示す第２実施例においては、バッフル１３の後側１３ｂを、ドラム１１の回転中心Ｏと平行にした、すなわち、バッフル１３の後側１３ｂの、ドラム１１の回転中心Ｏに対する角度を０°にしている。
このようにすることにより、ドラム１１の前部に位置した洗濯物Ｗが後側に変位されるに伴って生じる洗濯物Ｗの捩れによる絡みを後側１３ｂでは更に少なくでき、その絡みによるアンバランス負荷の発生を更に少なくできて、ドラム１１及び水槽６の振動を一段と小さくすることができる。
【００３７】
［第３実施例］
図７ないし図９に示す第３実施例においては、バッフル１３の前側１３ａの側面部１３ｃ，１３ｄの傾斜角αを、後側１３ｂの側面部１３ｃ，１３ｄの傾斜角βより小さくしている（α＜β）。すなわち、バッフル１３の前側１３ａの側面部１３ｃ，１３ｄが、後側１３ｂの側面部１３ｃ，１３ｄより立つようにしている。
【００３８】
このようにすることにより、ドラム１１の前部に位置した洗濯物Ｗを後側に変位させる効果に一段と優れる。すなわち、ドラム１１の前部に位置した洗濯物Ｗを後側に一段と確実に変位させることができるものであり、かくして、ドラム１１及び水槽６の振動より充分に小さくすることができる。
なお、この場合、バッフル１３は、後側１３ｂをドラム１１の回転中心Ｏと平行にしてもいるが、第１実施例同様の角度をつけても良い。
【００３９】
［第４実施例］
図１０ないし図１２に示す第４実施例においては、バッフル１３の前側１３ａの高さＨ１を、後側１３ｂの高さＨ２より大きくしている（Ｈ１＞Ｈ２）。
このようにしても、ドラム１１の前部に位置した洗濯物Ｗを後側に変位させる効果に一段と優れるもので、すなわち、ドラム１１の前部に位置した洗濯物Ｗを後側に一段と確実に変位させることができるものであり、かくして、ドラム１１及び水槽６の振動より充分に小さくすることができる。
【００４０】
なお、この場合も、バッフル１３は、後側１３ｂをドラム１１の回転中心Ｏと平行にしているが、第１実施例同様の角度をつけても良い。又、バッフル１３の前側１３ａの側面部１３ｃ，１３ｄの傾斜角αを、後側１３ｂの側面部１３ｃ，１３ｄの傾斜角βより小さくもしているが、それらは第１実施例同様に同角度としても良い。
【００４１】
［第５実施例］
図１３及び図１４に示す第５実施例においては、各ほぐし行程におけるバッフル１３の前側１３ａの角度を大きくした方向（正転方向）のドラム１１の回転量を、それとは反対の方向（逆転方向）のドラム１１の回転量より多くする制御を実行するようにしている（図はドラム１１の正転と逆転の１周期分のみを表している）。この場合、ドラム１１の回転量は、回転時間の長さＴ１（正転），Ｔ２（逆転）を変えることで異ならせるようにしている（Ｔ１＞Ｔ２）が、回転速度を変えることで異ならせるようにしても良い。
【００４２】
このようにしても、ドラム１１の前部に位置した洗濯物Ｗを後側に変位させる効果に一段と優れるもので、すなわち、ドラム１１の前部に位置した洗濯物Ｗを後側に一段と確実に変位させることができるものであり、かくして、ほぐし行程後の各脱水行程におけるドラム１１及び水槽６の振動より充分に小さくすることができる。
【００４３】
［第６実施例］
図１５及び図１６に示す第６実施例においては、洗濯を行う際、すなわち、洗い行程とすすぎ行程とを実行する際に、バッフル１３の前側１３ａの角度を大きくした方向（正転方向）のドラム１１の回転量を、それとは反対の方向（逆転方向）のドラム１１の回転量より多くする制御を実行するようにしている（図はドラム１１の正転と逆転の１周期分のみを表している）。この場合も、ドラム１１の回転量は、回転時間の長さＴ３（正転），Ｔ４（逆転）を変えることで異ならせるようにしている（Ｔ３＞Ｔ４）が、回転速度を変えることで異ならせるようにしても良い。
【００４４】
このようにしても、ドラム１１の前部に位置した洗濯物Ｗを後側に変位させる効果に一段と優れるもので、すなわち、ドラム１１の前部に位置した洗濯物Ｗを後側に一段と確実に変位させることができるものであり、かくして、洗い行程後及びすすぎ行程後の各脱水行程におけるドラム１１及び水槽６の振動より充分に小さくすることができる。
このほか、本発明は上記し且つ図面に示した実施例にのみ限定されるものではなく、要旨を逸脱しない範囲内で適宜変更して実施し得る。
【符号の説明】
【００４５】
図面中、１は外箱、２は洗濯物出入口、６は水槽、８はモータ（駆動装置）、１１はドラム、１３はバッフル、１３ａはバッフルの前側、Ｏはドラムの回転中心、θａはドラムの回転中心に対するバッフルの前側の角度、１３ｂはバッフルの後側、θｂはドラムの回転中心に対するバッフルの後側の角度、１７はベローズ、１３ｃ，１３ｄはバッフルの側面部、αはバッフルの前側の側面部の傾斜角、βはバッフルの後側の側面部の傾斜角、Ｈ１はバッフルの前側の高さ、Ｈ２はバッフルの後側の高さ、Ｔ１，Ｔ２はほぐし行程におけるドラムの回転時間の長さ（回転量）、Ｔ３，Ｔ４は洗い行程及びすすぎ行程におけるドラムの回転時間の長さ（回転量）を示す。
【図１】
2010207450.tif 000003
【図２】
2010207450.tif 000004
【図３】
2010207450.tif 000005
【図４】
2010207450.tif 000006
【図５】
2010207450.tif 000007
【図６】
2010207450.tif 000008
【図７】
2010207450.tif 000009
【図８】
2010207450.tif 000010
【図９】
2010207450.tif 000011
【図１０】
2010207450.tif 000012
【図１１】
2010207450.tif 000013
【図１２】
2010207450.tif 000014
【図１３】
2010207450.tif 000015
【図１４】
2010207450.tif 000016
【図１５】
2010207450.tif 000017
【図１６】
2010207450.tif 000018